(57)【要約】      （修正有）【課題】ソーラーパネルの表面及び裏面が冷却されやすい太陽光発電装置を提供する。【解決手段】建造物用太陽光発電装置である。建造物の屋根部に棟に沿って凹溝を形成し、この凹溝は上方に開口しているとともに前後端も開口している建造物において、前記屋根部における前記凹溝の上方にソーラーパネルを設置したものである。棟に沿って前記凹溝を通過する風によって、ソーラーパネルの表面及び裏面は冷却されやすい。シリコンを用いたソーラーパネルであっても、建造物の換気をしながら出力を低下させることなく、太陽光発電を行うことができる。【選択図】図３
0003168018.tif 000002
【実用新案登録請求の範囲】
【請求項１】
建造物の屋根部に棟に沿って凹溝を形成し、この凹溝は上方に開口しているととものに前後端は開口している建造物において、前記屋根部における前記凹溝の上方にソーラーパネルを設置したことを特徴とする建造物用太陽光発電装置。
【請求項２】
前記ソーラーパネルは前記凹溝に沿って配置され、上下方向に傾斜していることを特徴とする請求項１の建造物用太陽光発電装置。
【請求項３】
前記凹溝は南北方向に形成されているとともに前記ソーラーパネルは南下がりの傾斜であることを特徴とする請求項２の建造物用太陽光発電装置。
【請求項４】
前記凹溝の両側壁部に喚起口が設けられていることを特徴とする請求項１，請求項２又は請求項３の建造物用太陽光発電装置。
【考案の詳細な説明】
【技術分野】
【０００１】
この考案は建造物用太陽光発電装置に関し、例えば、農業用ビニールハウス、堆肥小屋、家畜舎、一般住宅等に使用されるものである。
【背景技術】
【０００２】
従来におけるこの種の太陽光発電装置は、建造物の屋根部にソーラーパネルを設置し、太陽光によって直接発電していた。
【０００３】
【特許文献１】特開２０１０−２１３６３３号公報
【考案の開示】
【考案が解決しようとする課題】
【０００４】
しかしながら、かかる従来の太陽光発電装置にあっては、前記ソーラーパネルが傾斜した状態で載置されていたにすぎないため、太陽光によって温度が上昇しやすく、この結果、シリコンを用いたものでは出力が低下せざるを得ないという不都合を有した。
【０００５】
この考案の課題は前記不都合を解消することである。
【課題を解決するための手段】
【０００６】
この課題を達成するために、この考案に係る建造物用太陽光発電装置においては、建造物の屋根部に棟に沿って凹溝を形成し、この凹溝は上方に開口しているととものに前後端は開口している建造物において、前記屋根部における前記凹溝の上方にソーラーパネルを設置したものである。
【０００７】
この場合、前記ソーラーパネルを前記凹溝に沿って配置し、上下方向に傾斜させることもできる。
【０００８】
また、前記凹溝を南北方向に形成し、前記ソーラーパネルを南下がりの傾斜にすることもできる。
【０００９】
また、前記凹溝の両側壁部に喚起口を設けることもできる。
【考案の効果】
【００１０】
この考案に係る建造物用太陽光発電装置は上記のように構成されているため、即ち、建造物の屋根部に棟に沿って凹溝を形成し、この凹溝は上方に開口しているととものに前後端は開口している建造物において、前記屋根部における前記凹溝の上方にソーラーパネルを設置したため、前記棟に沿って前記凹溝を通過する風によって、前記ソーラーパネルの表面及び裏面は冷却されやすいものである。
【００１１】
よって、この建造物用太陽光発電装置を使用すればシリコンを用いたソーラーパネルであっても、建造物を有効利用して出力を低下させることなく、太陽光発電を行うことができるものである。
【００１２】
この場合、前記ソーラーパネルを前記凹溝に沿って配置し、上下方向に傾斜させれば、凹溝を流れる風がソーラーパネルの裏面に沿って流れるため、その冷却効果は向上する。
【００１３】
また、前記凹溝を南北方向に形成し、前記ソーラーパネルを南下がりの傾斜にすれば、南からの日光を受けやすいとともに北風によって前記ソーラーパネルを冷却することができ、発電の出力を向上させることができる。
【００１４】
また、前記凹溝の両側壁部に喚起口を設ければ、この喚起口を出入する空気によって建造物内は換気されながら、この空気の流れがソーラーパネルの側部に接触するため、冷却効果は向上し、発電の出力は向上する。即ち、建造物の換気を妨げることなくソーラー発電を行うことができる。
【考案を実施するための最良の形態】
【００１５】
この考案に係る「建造物用太陽光発電装置」においては、建造物として「農業用ビニールハウス」を使用する。ソーラーパネルは太陽電池モジュールであり、通常は半導体で構成されている。
【００１６】
前記前記凹溝は南北方向に形成されている。
【００１７】
前記凹溝の両側壁部に喚起口が設置されている。
【００１８】
前記ソーラーパネルは南下がりの傾斜に設置されている。角度は１０度位が適している。
【００１９】
また、前記凹溝を南北方向に形成し、前記ソーラーパネルを南下がりの傾斜にすることもできる。
【実施例１】
【００２０】
以下、図面に基づいてこの考案の実施例を説明する。
【００２１】
図１はこの考案に係る建造物用太陽光発電装置の正面図、図２は同右側面図、図３は図１におけるIII部拡大断面図、図４は図３におけるIV―IV線断面図、図５は図３におけV矢視図である。
【００２２】
図１〜図２において、Ｈは野菜栽培用ビニールハウス（この考案の「建造物」に相当する）、１０はその屋根部，Ｐ，Ｐ，…はこの屋根部１０に設置されたソーラーパネルである。
【００２３】
図３〜５において、１１は前記屋根部１０を構成する合掌、１２は梁部材、１３，１３はつか部材であり、前記梁部材１２に立設され、前記合掌１１，１１を支えている。この一対のつか部材１３，１３と前記梁部材１１とによって、この考案の凹溝Cが構成される。なお、この凹溝Cは南北に向かって位置している。
【００２４】
また、１４は棟木である。この棟木１４と前記合掌１１，１１の上面には無職透明な被服シートSが張設されている。また、この棟木１４と前記つか部材１３，１３によって構成される窓状の「空間部分」がこの考案の「換気口A」に相当する。
【００２５】
２０はアルミサッシ（枠）であり、前記換気口Aに設置されている。このアルミサッシ２０には一対の引き戸２１，２１（ガラスが嵌められている）がスライド可能に（矢印方向）に嵌められている。この引き戸２１，２１は通常の駆動手段によってスライドし、前記換気口Ａを開閉する。
【００２６】
次に、３０，３０は棟樋であり、前記梁部材１２，１２，…に掛け渡されている。この棟樋３０は前記つか部材１３，１３，…に接触した状態で前記アルミサッシ２０の下方に位置している。この棟樋３０は前記凹溝C内に浸入した雨水等を棟方向に流し、ハウスH内に浸入するのを防止している。３１は足場であり、ブラケット３２を介して前記梁部材１２，１２，…に掛け渡されている。この足場３１は前記凹溝Cの底部中央に位置している。３３，３３は透明カバー板であり、前記足場３１と前記棟樋３０との間に設置されている。この透明カバー板３３は前記棟樋３０に向かって下がり傾斜している。
【００２７】
１５，１５は繋ぎ鋼材であり、前記合掌１１，１１，…に掛け渡されている。この繋ぎ鋼材１５，１５は前記凹溝Cの開口の上方に位置している。前記ソーラーパネルＰはこの繋ぎ鋼材１５，１５に前ゲタ鋼材１６，１６及び後ゲタ鋼材１７，１７によって固定されている。このソーラーパネルＰは前下がり（南方向を前とする）の傾斜に配置され、その角度は約１０度が適している。
【００２８】
のソーラーパネルＰによって発電された電力は、充電器に充電することもできるし、発行ダイオード等を点灯させてハウスＨ内の照明証明や電照栽培に利用することもできるし、このソーラーパネルＰによってハウス内の換気を妨げることもない。
【産業上の利用可能性】
【００２９】
この考案に係る建造物用太陽光発電装置は、棟に沿って凹溝を通過する風によって、ソーラーパネルの表面及び裏面を冷却しやすいため、シリコンを用いたソーラーパネルであっても、建造物を有効利用して出力を低下させることなく、太陽光発電を行うことができる。よって、利用可能性は極めて高いものである。
【図面の簡単な説明】
【００３０】
【図１】図１はこの考案に係る建造物用太陽光発電装置の正面図である。
【図２】図２は同右側面図である。
【図３】図３は図１におけるIII部拡大断面図である。
【図４】図４は図３におけるIV―IV線断面図である。
【図５】図５は図３におけV矢視図である。
【符号の説明】
【００３１】
A  …  換気口
C  …  凹溝
Ｈ  …  野菜栽培用ビニールハウス（建造物）
Ｐ  …  ソーラーパネル
Ｓ  …  被服シート材
１０  …  屋根部
１１  …  合掌
１２  …  梁部材
１３  …  つか部材
１４  …  棟木
１５  …  繋ぎ鋼材
１６  …  前ゲタ鋼材
１７  …  後ゲタ鋼
２０  …  アルミサッシ（枠）
２１  …  引き戸
３０  …  棟樋
３１  …  足場
３２  …  ブラケット
３３  …  透明カバー板
【図１】
0003168018.tif 000003
【図２】
0003168018.tif 000004
【図３】
0003168018.tif 000005
【図４】
0003168018.tif 000006
【図５】
0003168018.tif 000007